(57)【特許請求の範囲】
【請求項１】
小径側の径方向に鍔部を有するとともに、前記鍔部の端部内側に、周方向に複数の円すいころを載置することのできる段部を備える支持体の周囲に配置された状態で該段部に円すいころを小端面側を下にして載置した時、これら円すいころの小端面の中心を結んだピッチ円より内径側の位置で各円すいころ小端面と接触する突起部が形成された保持器を備える円すいころ軸受。
【請求項２】
所要数の円すいころを載置する段部及び該段部に連続する保持器案内部を設けた支持体周囲に該段部とポケットが同角度位置となるように保持器を配置し、前記支持体の段部に円すいころを載置したとき、前記保持器の小径側の径方向に形成した鍔部の端部内側に、該円すいころ小端面との接触位置が支持体に載置した円すいころのピッチ円より支持体の中心寄りの小端面と当接するよう突起部を設けて該円すいころを前記保持器のポケットに倒れさせてポケットに嵌め入れ、その後内輪及び外輪を組み立ててなる円すいころ軸受の組立方法。
【発明の詳細な説明】
【０００１】
【産業上の利用分野】
この発明は、組立に際し円すいころを挿入しやすくした保持器を備えた円すいころ軸受及びこの円すいころ軸受の組立方法に関する。
【０００２】
【従来の技術】
円すいころ軸受の内輪セット品（円すいころと保持器及び内輪の組立品）を製作する場合には、自動或いは半自動組立装置が用いられる場合が多い。例えば保持器にころを組み込む方法として、図６（Ａ）に示すような装置が知られている（特公昭５６−１０４９４号）。即ち、軸受１０を備え上部に段部１１ｂを形成した回転支持体１１に図６（Ｂ）に示すタイプの保持器１２をセットし、一方、該回転支持体１１の上部にはころ案内穴１４ａを設けた案内具１４を所定角度間隔で配置し、所要数のころ１３を載置する段部１１ｂにころ１３が落下すると該回転支持体１１が回転してその遠心力によりころ１３は保持器１２のポケット１２ａを探りつつ自然といずれかのポケット１２ａに装入されるように構成してある。
【０００３】
【発明が解決しようとする課題】
上記する保持器１２にころを装入する装置では、ころ１３を保持器１２のポケット１２ａに入れる際回転支持体１１を回転駆動する機構が必要であり、装置にコストがかかる。また、この場合回転速度の管理を十分にしないところ１３が保持器１２のポケット１２ａにうまく装入されないため速度管理が面倒であるという問題がある。この発明はかかる課題に鑑みてなされたものであり、保持器に円すいころを組み込むに際して回転機構が不要であり、簡単かつ確実に組み込むことのできる円すいころ軸受及びこの円すいころ軸受の組立方法を提供することを目的としている。
【０００４】
【課題を解決するための手段】
即ち、この発明は上記する課題を解決するために、［１］円すいころ軸受が、小径側の径方向に鍔部を有するとともに、前記鍔部の端部内側に、周方向に複数の円すいころを載置することのできる段部を備える支持体の周囲に配置された状態で該段部に円すいころを小端面側を下にして載置した時、これら円すいころの小端面の中心を結んだピッチ円より内径側の位置で各円すいころ小端面と接触する突起部が形成された保持器を備えていることを特徴とする。
また、［２]円すいころ軸受の組立方法が、所要数の円すいころを載置する段部及び該段部に連続する保持器案内部を設けた支持体周囲に該段部とポケットが同角度位置となるように保持器を配置し、前記支持体の段部に円すいころを載置したとき、前記保持器の小径側の径方向に形成した鍔部の端部内側に、該円すいころ小端面との接触位置が支持体に載置した各円すいころ小端面のピッチ円より支持体の中心寄りの小端面と当接するよう突起部を設けて該円すいころを前記保持器のポケットに倒れさせてポケットに嵌め入れ、その後内輪及び外輪を組み立ててなることを特徴とする。
【０００５】
【作用】
上記［１］の手段では、保持器２の小径側に鍔部２ｂを形成すると共に該鍔部２ｂの先端部に突起部２ｃを設け、支持体１の周囲に設けた凹部１ａの段部１ｂに円すいころ３の小端面３ａが載置されたとき、該突起部２ｃが環状に落下させた各円すいころ３の小端面３ａの中心を結んだピッチ円直径（Ｐ．Ｃ．Ｄ）より内径側の位置に当接するように構成してあるので、支持体１を回転させなくてもこの円すいころ３が自然とポケット２ａ内に倒れ込み、簡単に保持器２のポケット２ａに嵌め入れて組み立てることが出来る。また、上記［２］の手段とすれば、支持体１を回転させることなく円すいころ３を保持器２に簡単に嵌め入れ且つ内輪及び外輪を組み立てることができる。
【０００６】
【実施例】
以下、この発明の具体的実施例について図面を参照しながら説明する。
図１（Ａ）はこの発明の円すいころ軸受を組み立てる際の円すいころ３を保持器２のポケット２ａに嵌め入れる工程を示す縦断面図、図１（Ｂ）は円すいころ３と保持器２の部分拡大図、図２（Ａ）は図１（Ａ）のＰ矢視平面図、図２（Ｂ）は支持体１の一部斜視図である。支持体１は円すいころ３を立てて支持するためのものであるが、小端面３ａ側を下にして立てた円すいころ３の側面３ｂを接触支持する所要数の凹部１ａとこの小端面３ａの一部を載置する前記凹部１ａと連続する段部１ｂが環状に設けられている。そして該支持体１の凹部１ａの段部１ｂに連続する円筒状の保持器案内部１ｃが形成され該保持器案内部１ｃの周囲には保持器２が設置される。この場合該保持器２を容易に着脱できるように保持器案内部１ｃの円筒部の直径Ｄ1 は保持器２の小径側に形成した鍔部２ｂの内径Ｄ2 より少し小さくなるように形成してある。
【０００７】
前記保持器２の小径側に設けた鍔部２ｂの端部には先端部を若干鋭くなるように形成した突起部２ｃが内側に向けて形成してある。該突起部２ｃは、図２（Ａ）からも分かるように、ポケット２ａの中央位置付近に周状に設けられる。即ち、該突起部２ｃはポケット２ａと同数（円すいころと同数）設けるが、一定間隔で飛び飛びに設けても良いし連続して輪状に設けても良い。また、この場合、該突起部２ｃは保持器２を前記支持体１に設置したときその高さｈが段部１ｂの高さとほほ同等か若干高くする。更に、該突起部２ｃの円すいころ３の小端面３ａと接触する位置は支持体１の段部１ｂに載置したときの各円すいころ３の小端面３ａのピッチ円（Ｐ．Ｃ．Ｄ）直径より内径側（支持体１側）となるように設ける。
【０００８】
以上のように、この円すいころ軸受を、保持器２の小径側に鍔部２ｂを形成すると共に該鍔部２ｂの先端部に突起部２ｃを設け、支持体１の周囲に設けた凹部１ａの段部１ｂに円すいころ３の小端面３ａが載置されたとき、該突起部２ｃが環状に落下させた円すいころ３の軸心又は円すいころ小端面３ａのピッチ円直径（Ｐ．Ｃ．Ｄ）より小さい位置に当接するように構成すれば、支持体１を回転させなくても簡単に保持器２のポケット２ａに嵌め入れることができる。
【０００９】
実際に円すいころ３を保持器２のポケット２ａに嵌め入れ、内輪４及び外輪５（図３、図４参照）を組み立てる方法は次のようにする。
（１）支持体１の上部に、該支持体１の段部１ｂに向けて円すいころ３を落下させるよう円すいころ案内穴を設けたころ案内具１４（図６参照）を段部１ｂと同角度位置に配置する。
（２）支持体１の前記段部１ｂに連続して設けた保持器案内部１ｃ周囲に保持器２を載置する。この場合、支持体１の所要数の段部１ｂと保持器２のポケット２ａとは同角度位置とする。
（３）支持体１の周囲に設けた凹部１ａの段部１ｂに円すいころ３が落下すると、保持器２の突起部２ｃに円すいころ３が当接する。この場合、保持器２の突起部２ｃの高さｈは支持体１の段部１ｂの高さよりも少し高くするかほぼ同等の高さにしてある（或いは支持体１の段部１ｂ及び保持器案内部１ｃ部分が上下に少し移動可能なようにしても良い）。
（４）円すいころ３の小端面３ａが保持器２の突起部２ｃと当接する位置は、円すいころ３を支持体１の段部１ｂに載置したときの小端面３ａのピッチ円（Ｐ．Ｃ．Ｄ）の直径より小さい円の側にあるので、円すいころ３は支持体１周囲に配置した保持器２のポケット２ａに倒れ自然とポケット２ａに嵌め入れることができる。こうして保持器２に円すいころ３を嵌め入れて内輪４と外輪５とを組み込む。円すいころ軸受の組立方法では以上のように支持体１を回転させることなく円すいころ３を保持器２に簡単に嵌め入れ且つ内輪及び外輪を組み立てることができる。
【００１０】
図３は保持器２に上記方法により円すいころ３を嵌め入れ、更に内輪４と外輪５を組み込んだ状態の円すいころ軸受の一部軸方向断面図である。この場合、内輪４を組み込むとき円すいころ３の小端面３ａと保持器２のポケット２ａの下端面２ｄとを接触させるようにすると共に円すいころ３の大端面３ｃと内輪４の案内つば４ａとを接触させるようにしてある。即ち、この円すいころ軸受の内輪セット品（円すいころ３と保持器２及び内輪４の組立品）では円すいころ３を保持器２と内輪４とで保持させることになる。また、このとき保持器２のポケット２ａの下端面２ｄと鍔部２ｂに設けた突起部２ｃとは僅かな隙間ｔでできるようにする。こうして組付時に円すいころ３の安定を図ることができる。
【００１１】
図４（Ａ）は非分離形の円すいころ軸受の軸方向断面図であって、保持器２に上記方法で円すいころ３を嵌め入れ、更に内輪４と外輪５を組み込んだ状態の円すいころ軸受である。この場合も内輪４を組み込むとき円すいころ３の小端面３ａと保持器２のポケット２ａの下端面２ｄとを接触させ且つ円すいころ３の大端面３ｃと内輪４の案内つば４ａとを接触させる。この場合、保持器２の鍔部２ｂの先端部２ｅは内輪４の小鍔４ｂの内側に設けた溝４ｃに位置させラビリンス構造となるように形成する。そして保持器２の鍔部２ｂに設ける突起部２ｃは、図４（Ｂ）に示すように、各ポケット２ａの中央部に位置させてある。
【００１２】
図５に前記非分離形の円すいころ軸受の保持器２に円すいころ３を嵌め入れる状態を示す。即ち、支持体１の保持器案内部１ｃの周囲に保持器２を設置したとき前記鍔部２ｂの先端部内径Ｄ２は保持器案内部１ｃの円筒部の直径Ｄ1より僅かに大きくなるようにしてある。そして保持器２の突起部２ｃは、円すいころ３の小端面３ａと接触する位置が支持体１の段部１ｂに載置した円すいころ３の小端面３ａのピッチ円（Ｐ．Ｃ．Ｄ）直径より内側（支持体１側）となるように設ける。
【００１３】
【発明の効果】
以上詳述したようにこの発明によれば、円すいころ軸受を組み立てる際支持体の回転工程が不要となり短縮化され、従って支持体の回転機構も不要となるため組立装置が簡単となる。また、円すいころの保持器への嵌め入れ作業が簡単となり作業能率も大幅に向上させることができる。
【図面の簡単な説明】
【図１】図１（Ａ）はこの発明の円すいころ軸受を組み立てる際の円すいころを保持器のポケットに嵌め入れる工程を示す縦断面図、図１（Ｂ）は円すいころと保持器の部分拡大図である。
【図２】図２（Ａ）は図１（Ａ）のＰ矢視平面図、図２（Ｂ）は支持体の一部斜視図である。
【図３】この発明の実施例を示すものであって、保持器に円すいころを嵌め入れ、更に内輪と外輪を組み込んだ状態の円すいころ軸受の一部軸方向断面図である。
【図４】この発明の実施例を示すものであって、図４（Ａ）は非分離形の円すいころ軸受の軸方向断面図であり、図４（Ｂ）はこの非分離形の円すいころ軸受で使用される保持器の一部斜視図である。
【図５】この発明の実施例を示すものであって、非分離形の円すいころ軸受を組み立てる際の円すいころを保持器のポケットに嵌め入れる工程を示す縦断面図である。
【図６】図６（Ａ）は従来のころ軸受の組立方法を示す縦断面図の一部であり、図６（Ｂ）は従来の保持器の外観側面図である。
【符号の説明】
１  支持体
１ｂ  支持体段部
１ｃ  保持器案内部
２  保持器
２ａ  保持器ポケット
２ｂ  保持器鍔部
２ｃ  保持器突起部
３  円すいころ
３ａ  円すいころ小端面
【図１】
0003728544.tif 000002
【図２】
0003728544.tif 000003
【図３】
0003728544.tif 000004
【図４】
0003728544.tif 000005
【図５】
0003728544.tif 000006
【図６】
0003728544.tif 000007